(57)【要約】【課題】手で持つ部分である胴部において断熱性にすぐれ、特に氷菓、冷菓用の容器として手が冷え込んだせず、また外面に結露が生じることがないプラスチック容器を提供する。【解決手段】プラスチック容器１は、一端に開口部を有するとともに他端に底部を有する胴部を備えたブロー成形製の多層容器である。内層および外層に、平均膜比率の和が全体の５〜１０％のポリオレフィン樹脂よりなる非発泡層を有する。胴部２において中間層に、平均膜比率が全体の９０〜９５％であるポリオレフィン樹脂よりなる発砲層を有し、その発泡倍率が１．３〜２．５倍であり、胴部２において引張弾性率が３５００［ｋｇ／ｃｍ２］以下でスクイズ性を有する。【選択図】　　　　図１
2004123145.tif 000002
【特許請求の範囲】
【請求項１】
一端に開口部を有するとともに他端に底部を有する胴部を備えたブロー成形製の多層容器であって、内層および外層に、平均膜比率の和が本体の５〜１０％のポリオレフィン樹脂よりなる非発泡層を有し、容器の胴部において中間層に、平均膜比率が全体の９０〜９５％であるポリオレフィン樹脂よりなる発砲層を有し、その発泡倍率が１．３〜２．５倍であり、胴部において引張弾性率が３５００［ｋｇ／ｃｍ２］以下でスクイズ性を有することを特徴とする氷菓用プラスチック容器。
【請求項２】
発泡層および非発泡層を構成するポリオレフィン樹脂が、低密度ポリエチレン、高密度ポリエチレン、ポリプロピレンからなる群より選ばれる少なくとも一種の樹脂からなることを特徴とする請求項１記載の氷菓用プラスチック容器。
【請求項３】
多層容器はその胴部において熱伝導率が０．０２〜０．２５［ｋｃａｌ／ｍｈ℃］であることを特徴とする請求項１または２記載のプラスチック容器。
【発明の詳細な説明】
【０００１】
【発明の属する技術分野】
本発明は、断熱性、保冷性にすぐれた多層容器であって、特にアイスクリーム、かき氷などの氷菓の容器として用いる氷菓用プラスチック容器に関する。
【０００２】
【従来の技術】
従来のこの種の一般的プラスチック容器としては、特開平９−１８３４５７号公報に示すように、ポリエチレン製の未発泡単層容器や、特開昭５６−５７６３５号公報に示すように、発泡単層容器などが知られている。
【０００３】
【発明が解決しようとする課題】
ところで、ポリエチレン製の未発泡単層容器では、その断熱性に劣るので、氷菓や冷菓の容器のように手で持って食べたり飲んだりする際に、手が冷え込んでしまい、また結露が発生して手が濡れるなどの不都合が生じ、ゆっくりと食べたり飲んだりする場合には、あまり好ましいものではなかった。また、発泡単層容器では、内容物である氷菓が溶けて容器外表面に漏れ出ることを防止するために厚肉または、発泡倍率を低くして成形されるので、容器の胴部においてその引張弾性率が高く、スクイズ性のない硬質の容器となってしまい、容器の胴部を押し潰して内容物である氷菓を柔らかくしたり、少量ずつ押出して食べたり飲んだりすることができなかった。
【０００４】
そこで、本発明目的は、従来のもののこのような欠点を解消するため、胴部を備えたブロー成形製の多層容器であって、内層および外層に、平均膜比率の和が全体の５〜１０％のポリオレフィン樹脂よりなる非発泡層を有し、容器の胴部において中間層に、平均膜比率が全体の９０〜９５％であるポリオレフィン樹脂よりなる発砲層を有し、その発泡倍率が１．３〜２．５倍であり、胴部において引張弾性率が３５００［ｋｇ／ｃｍ２］でスクイズ性を有する構成とすることにより、手で持つ部分である胴部において断熱性にすぐれ、特に氷菓の容器として手が冷え込んだせず、また外面に結露が生じることのない、すぐれたプラスチック容器を提供しようとするものである。
【０００５】
【課題を解決するための手段】
本発明は、上記目的を達成するため、請求項１ないし３に記載したプラスチック容器を提供する。すなわち、請求項１に係る氷菓用プラスチック容器は、一端に開口部を有するとともに他端に底部を有する胴部を備えたブロー成形製の多層容器であって、内層および外層に、平均膜比率の和が本体の５〜１０％のポリオレフィン樹脂よりなる非発泡層を有し、容器の胴部において中間層に、平均膜比率が全体の９０〜９５％であるポリオレフィン樹脂よりなる発砲層を有し、その発泡倍率が１．３〜２．５倍であり、胴部において引張弾性率が３５００［ｋｇ／ｃｍ２］以下でスクイズ性を有することを特徴とするものである。
【０００６】
請求項２に係る氷菓用プラスチック容器は、請求項１記載の氷菓用プラスチック容器において、発泡層および非発泡層を構成するポリオレフィン樹脂が、低密度ポリエチレン、高密度ポリエチレン、ポリプロピレンからなる群より選ばれる少なくとも一種の樹脂からなることを特徴とするものである。
【０００７】
請求項３に係る氷菓用プラスチック容器は、請求項１または２記載の氷菓用プラスチック容器において、多層容器はその胴部において熱伝導率が０．０２〜０．２５［ｋｃａｌ／ｍｈ℃］であることを特徴とするものである。
【０００８】
【発明の実施の形態】
図１は本発明の一実施の形態に係るプラスチック容器の正面図、図２は本発明の他の実施の形態に係るプラスチック容器の正面図、図３は本発明のさらに他の実施の形態に係るプラスチック容器の正面図、図４は胴部の層構造を示す断面図である。
【０００９】
図１に示すように、本発明の一実施の形態に係るプラスチック容器１は、胴部２の一端に筒状の首部３を有しており、首部３の先端開口部にはシール４によって封止されている。胴部２の底部は閉じられている。５は開口用凹溝、６は摘み部であって、首部３において開口用凹溝５は摘み部６より胴部２側に形成されている。首部３を開口用凹溝５の部分で開口するには、摘み部６に指を掛けて引っ張って開口用凹溝５を引きちぎる。
【００１０】
図２に示すように、本発明の他の実施の形態に係るプラスチック容器１は、胴部２の一端に口部７を有しており、口部７にはねじ込み式のキャップ８が装着されている。胴部２の底部は閉じられている。
【００１１】
図３に示すように、本発明のさらに他の実施の形態に係るプラスチック容器１は、胴部２の一端が開口部９となっていて、その開口部９はアルミニウムシール１０によって封止されている。胴部２には多数の縦溝状の凹凸１１が形成されている。この凹凸１１は胴部２の補強のほか胴部２に対する手の当たり面を少なくするためののものである。
【００１２】
図１、図２および図３に示すプラスチック容器１は胴部２が多層構造であり、図４に示すように、内層１２および外層１３に、平均膜比率の和が全体の５〜１０％のポリオレフィン樹脂よりなる発泡層を有し、中間層１４にポリオレフィン樹脂よりなる発砲層を有している。そして、胴部２において中間層１４に、平均膜比率が全体の９０〜９５％であるポリオレフィン樹脂よりなる発砲層を有し、その発泡倍率が１．３〜２．５倍であり、胴部において引張弾性率が３５００［ｋｇ／ｃｍ２］以下でスクイズ性を有している。ポリオレフィン樹脂は、低密度ポリエチレン、高密度ポリエチレン、ポリプロピレンからなる群より選ばれる少なくとも一種の樹脂からなるものであり、胴部２において熱伝導率が０．０２〜０．２５［ｋｃａｌ／ｍｂ℃］である。
【００１３】
【発明の効果】
本発明に係る氷菓用プラスチック容器は、一端に開口部を有するとともに他端に底部を有する胴部を備えたブロー成形製の多層容器であって、内層および外層に、平均膜比率の和が全体の５〜１０％のポリオレフィン樹脂よりなる非発泡層を有し、容器の胴部において中間層に、平均膜比率が全体の９０〜９５％であるポリオレフィン樹脂よりなる発砲層を有し、その発泡倍率が１．３〜２．５倍であり、胴部において引張弾性率が３５００［ｋｇ／ｃｍ２］以下でスクイズ性を有するものであるから、手で持つ部分である胴部において断熱性にすぐれ、特に氷菓の容器として手が冷え込んだせず、また外面に結露が生じることがないなど、すぐれた効果を奏するものである。
【図面の簡単な説明】
【図１】本発明の一実施の形態に係るプラスチック容器の正面図である。
【図２】本発明の他の実施の形態に係るプラスチック容器の正面図である。
【図３】本発明のさらに他の実施の形態に係るプラスチック容器の正面図である。
【図４】胴部の層構造を示す断面図である。
【符号の説明】
１　プラスチック容器
２　胴部
３　首部
４　開口用凹溝
５　摘み部
６　シール部
７　口部
８　キャップ
９　開口部
１０　アルミニウムシール
１１　凹凸
１２　内層
１３　外層
１４　中間層
【図１】
2004123145.tif 000003
【図２】
2004123145.tif 000004
【図３】
2004123145.tif 000005
【図４】
2004123145.tif 000006